(57)【要約】【課題】ターミナル取付部の破損やターミナルの変形等を確実に防ぐモータを提供する。【解決手段】ヨークの開口端に固定され、給電用の相手コネクタが嵌合される有底筒状のコネクタ部２３を有したカバー２０と、このカバー内に収納された貫通する円形の貫通孔を形成したブラシホルダ３０と、このブラシホルダ３０のターミナル取付部３１ｄに取り付けられると共に、カバーのコネクタ部２３の底壁２４に貫通されて該コネクタ部内に所定長突出する複数のターミナル３５，３６とを備えたモータにおいて、各ターミナル３５,３６に切欠き３５ｄ，３６ｄを形成し、各ターミナル３５，３６の切欠き３５ｄ，３６ｄに嵌合する突起４５，４６，４７を形成したターミナルホルダ４０を、各ターミナル３５，３６に直交してカバー２０に形成されたターミナルホルダ収納部２５に、突起４５，４６，４７が各ターミナル３５，３６の切欠き３５ｄ，３６ｄに嵌合するように保持した。【選択図】図７
2008167530.tif 000002
【特許請求の範囲】
【請求項１】
内周面にマグネットが固着された筒状のヨークと、このヨークの開口端に固定され、給電用の相手コネクタが嵌合される有底筒状のコネクタ部を有したケースと、このケース内に収納され、中央にコンミュテータが貫通する円形の貫通孔を形成したブラシホルダと、このブラシホルダの貫通孔を挾むように少なくとも一対形成されたブラシ収納部に出没自在に収納されたブラシと、前記ブラシホルダのターミナル取付部に取り付けられると共に、前記ケースのコネクタ部の底壁に貫通されて該コネクタ部内に所定長突出する複数のターミナルとを備えたモータにおいて、
前記各ターミナルの中途部に切欠きを形成し、前記各ターミナルの切欠きに嵌合する突起を形成したターミナルホルダを、該各ターミナルに直交して前記ケースに形成されたターミナルホルダ収納部に、該突起が該各ターミナルの切欠きに嵌合するように保持したことを特徴とするモータ。
【請求項２】
請求項１記載のモータであって、
前記各ターミナルの切欠きは、該各ターミナルから突き出した凸部により形成され、前記凸部は、前記ケースのコネクタ部の端子挿入孔の形成される前記底壁の挿入方向手前に位置していることを特徴とするモータ。
【発明の詳細な説明】
【技術分野】
【０００１】
本発明は、給電用の相手コネクタが嵌合されるコネクタ部を有したモータに関する。
【背景技術】
【０００２】
この種のモータとして、図９，図１０に示すものがある（例えば、特許文献１参照。）。
【０００３】
このモータのステータ１は、図９に示すように、円筒状のステータコア２と、このステータコア２の内側に嵌合されたインシュレータ３と、このインシュレータ３に巻付けられたステータコイル４と該インシュレータ３の係合部３ａに係合されるターミナル用ブロック体６とを備えている。
【０００４】
図９，図１０に示すように、ターミナル用ブロック体６にはターミナル７が挿着される複数の貫通孔６ａを形成してある。このターミナル用ブロック体６の各貫通孔６ａに挿着されたターミナル７の基端部７ａは、ステータコイル４の延長部４ａと接続してある。これらターミナル用ブロック体６と複数のターミナル７とで図示しない給電用の相手コネクタが嵌合されるコネクタ部５を構成している。
【０００５】
【特許文献１】特許第２８８３４０９号公報
【発明の開示】
【発明が解決しようとする課題】
【０００６】
しかしながら、前記従来のモータでは、ターミナル用ブロック体６の貫通孔６ａに長尺のターミナル７の基端部７ａを貫通させて挿着しているため、コネクタ部５への相手コネクタの着脱時にターミナル７の基端部７ａに負荷（荷重）がかかってしまう。そのため、ターミナル７の基端部７ａとステータコイル４の延長部４ａとの接続部に応力がかかり、接続部が破損してしまうおそれがあった。また、隣接するターミナル７，７間の間隔が狭いため、絶縁性能に不安があった。
【０００７】
そこで、本発明は、前記した課題を解決すべくなされたものであり、ブラシホルダのターミナル取付部の破損やターミナルの変形及びガタ付きを確実に防止することができると共に、隣接するターミナル間の絶縁特性を向上させることができるモータを提供することを目的とする。
【課題を解決するための手段】
【０００８】
請求項１の発明は、内周面にマグネットが固着された筒状のヨークと、このヨークの開口端に固定され、給電用の相手コネクタが嵌合される有底筒状のコネクタ部を有したケースと、このケース内に収納され、中央にコンミュテータが貫通する円形の貫通孔を形成したブラシホルダと、このブラシホルダの貫通孔を挾むように少なくとも一対形成されたブラシ収納部に出没自在に収納されたブラシと、前記ブラシホルダのターミナル取付部に取り付けられると共に、前記ケースのコネクタ部の底壁に貫通されて該コネクタ部内に所定長突出する複数のターミナルとを備えたモータにおいて、前記各ターミナルの中途部に切欠きを形成し、前記各ターミナルの切欠きに嵌合する突起を形成したターミナルホルダを、該各ターミナルに直交して前記ケースに形成されたターミナルホルダ収納部に、該突起が該各ターミナルの切欠きに嵌合するように保持したことを特徴とする。
【０００９】
請求項２の発明は、請求項１記載のモータであって、前記各ターミナルの切欠きは、該各ターミナルから突き出した凸部により形成され、前記凸部は、前記ケースのコネクタ部の端子挿入孔の形成される前記底壁の挿入方向手前に位置していることを特徴とする。
【発明の効果】
【００１０】
以上説明したように、請求項１の発明によれば、各ターミナルの中途部に切欠きを形成し、各ターミナルの切欠きに嵌合する突起を形成したターミナルホルダを、各ターミナルに直交してケースに形成されたターミナルホルダ収納部に、突起が各ターミナルの切欠きに嵌合するように保持したことにより、ケースのコネクタ部内への相手コネクタの着脱時にターミナルに加わる負荷は、ケースに保持されたターミナルホルダが受けることで、ターミナルやブラシホルダのターミナル取付部に負荷が加わることがなく、該ターミナル取付部の破損等を確実に防止することができる。また、各ターミナルの中途部をターミナルホルダにより保持するため、各ターミナルの変形やガタ付きを確実に防止することができる。
【００１１】
請求項２の発明によれば、ターミナルの切欠きは、ターミナルから突き出した凸部により形成され、凸部はケースのコネクタ部の端子挿入孔の形成される底壁の挿入方向手前に位置していることにより、ターミナルのターミナルホルダの突起と嵌合する切欠きを大きく形成することができるので、ケースのコネクタ部内への相手コネクタの着脱時の応力を確実にターミナルホルダで受けることができる。
【発明を実施するための最良の形態】
【００１２】
以下、本発明の一実施形態を図面に基づいて説明する。
【００１３】
図１は本発明の一実施形態のモータを示す斜視図、図２は同モータの分解斜視図、図３は同モータのカバーを取り付ける前の状態をカバー側から見た斜視図、図４は同モータのカバーを取り付ける前の状態をキャップ側から見た斜視図、図５は同モータの正面図、図６は同モータのターミナルホルダ収納部の縦断面図、図７は同モータのコネクタ部の横断面図、図８は同モータに用いられるターミナルホルダの斜視図である。
【００１４】
図１〜図４に示すように、モータ１０は、両側が開口した金属製で円筒状のヨーク１１と、このヨーク１１の後側の開口端１１ａに加締め固定される合成樹脂製のキャップ１２と、ヨーク１１の前側の開口端１１ｃに加締め固定される合成樹脂製で有底円筒状のカバー２０と、これらヨーク１１の前側の開口端１１ｃとカバー２０との間に挾持固定される合成樹脂製のブラシホルダ３０とを備えており、例えば、車両のシートをスライドさせるシートスライド機構の駆動源として用いられるものである。
【００１５】
図２に示すように、円筒状のヨーク１１の内周面１１ｅには、一対のマグネット１３，１３が接着剤等を介して固着されている。また、図４に示すように、キャップ１２の中央には円形の貫通孔１２ａを形成してあり、その周りの円筒部１２ｂの内側には図示しない軸受を配設してある。さらに、図２，図４に示すように、カバー２０の中央には円形の貫通孔２２ａを形成してあり、その周りの円筒部２２ｂの内側には軸受１４を嵌合してある。そして、この各軸受１４には、両側出力軸タイプのアーマチュア軸１５の両端１５ａ，１５ａを回転自在に支持してある。また、このアーマチュア軸１５の両端１５ａ，１５ａの各端面の中央には角穴１５ｂをそれぞれ形成してある。この各角穴１５ｂには図示しないシートスライド機構の棒状のケーブル等が連結されるようになっている。
【００１６】
また、図２に示すように、アーマチュア軸１５の一対のマグネット１３，１３に対向する位置には、アーマチュアコアとアーマチュアコイルから成るアーマチュア１６が取り付けられている。さらに、アーマチュア軸１５のヨーク１１の前側の開口端１１ｃに対向する位置には、コンミュテータ１７が固定されている。このコンミュテータ１７は所定数のコンミュテータ片１７ａを備えている。尚、図２に示すように、アーマチュア軸１５の一端１５ａのコンミュテータ１７と軸受１４との間にはワッシャ１８と円環状の弾性体１９等を介在してある。
【００１７】
図２〜図４に示すように、ヨーク１１の前側の開口端１１ｃに加締めにより固定されるカバー２０内には合成樹脂製で略円板状のブラシホルダ３０が収納されるようになっている。このカバー（ケース）２０は、図１〜図４に示すように、ブラシホルダ３０を収納する円筒壁部２１と、この円筒壁部２１の上部の前方に一体突出形成され、給電用の相手コネクタ５０が嵌合される底壁２４を有した四角筒状のコネクタ部２３と、このコネクタ部２３の底壁２４の背面側に一体形成され、後述するターミナルホルダ４０を着脱自在に収納する上面側が開口した凹状のターミナルホルダ収納部２５とを有している。そして、カバー２０の円筒壁部２１の底壁２２の中央に円形の貫通孔２２ａを形成してある。また、カバー２０の円筒壁部２１の両外側には上下各一対の段差部２１ａ，２１ｂを形成してある。この上下各一対の段差部２１ａ，２１ｂには、ヨーク１１の前側の開口端１１ｃの両側に形成された上下各一対の加締め片部１１ｆ，１１ｇが加締められて係止されるようになっている。これにより、カバー２０はブラシホルダ３０を収納・挾持してヨーク１１の前側の開口端１１ｃに固定されるようになっている。
【００１８】
また、図４に示すように、カバー２０の円筒壁部２１の内周面（内面）２１ｃの相対向する位置にはブラシホルダ３０のブラシホルダ本体３１の両側部を当接させる一対の当接部２１ｄ，２１ｄを一体突出形成してある。この一対の当接部２１ｄ，２１ｄの貫通孔２２ａを挾んで上下斜めの対称位置には円柱状の係止突起（位置決め係止部）２１ｅ，２１ｅをそれぞれ一体突出形成してある。
【００１９】
図２，図３に示すように、ブラシホルダ３０は、一対のブラシ３４，３４を保持する略合成樹脂製で円板状のブラシホルダ本体３１を有している。このブラシホルダ本体３１の中央には円形の貫通孔３１ａを形成してある。このブラシホルダ本体３１の貫通孔３１ａを挾む相対向する位置の左右両側には、箱状の一対のブラシ収納部３２，３２を形成してある。この各ブラシ収納部３２内にはブラシ３４を出没自在に収納していて、該ブラシ３４は図示しない捩りコイルバネ（付勢手段）によりコンミュテータ１７のコンミュテータ片１７ａに接触するように押圧付勢されている。また、ブラシホルダ本体３１の前面の貫通孔３１ａを挾んだ対称位置である各ブラシ収納部３２から離れた位置、即ち、カバー２０の一対の係止突起２１ｅ，２１ｅに相対向する位置には、円環状に突出したリブ３３ａから成る係合凹部（位置決め係合部）３３を形成してある。この各係合凹部３３にはカバー２０の各円柱状の係止突起２１ｅが嵌合されるようになっている。
【００２０】
また、図２に示すように、ブラシホルダ３０のブラシホルダ本体３１の上，下部の両側には各一対の突出片３１ｂ，３１ｂをそれぞれ一体突出形成してある。この各一対の突出片３１ｂ，３１ｂはヨーク１１の前側の開口端１１ｃとカバー２０の円筒壁部２１の端部２１ｇに挾持されるようになっていると共に、該各一対の突出片３１ｂ，３１ｂはカバー２０の円筒壁部２１の端部２１ｇの各凹部２１ｈに挾持されて位置決めされるようになっている。これにより、ブラシホルダ本体３１はヨーク１１の前側の開口端１１ｃとカバー２０の円筒壁部２１の端部２１ｇとの間に挾持されて固定されるようになっている。
【００２１】
さらに、図２，図３，図７に示すように、ブラシホルダ３０のブラシホルダ本体３１の上部には、一つのターミナル３５の基部３５ａが嵌合される端子固定孔部（ターミナル取付部）３１ｃを形成してあると共に、４つのターミナル３６の基部３６ａの丸孔が貫通されて熱溶着されるボス状の溶着部（ターミナル取付部）３１ｄをそれぞれ一体突出形成してある。図５〜図７に示すように、各ターミナル３５，３６は、カバー２０のコネクタ部２３の底壁２４に形成された端子貫通孔２４ａに貫通されて該コネクタ部２３内に所定長突出している。また、図７に示すように、各ターミナル３５，３６の中途部３５ｂ，３６ｂに切欠き３５ｄ，３６ｄを有する凸部３５ｃ，３６ｃを形成してある。そして、各ターミナル３５，３６の凸部３５ｃ，３６ｃの切欠き３５ｄ，３６ｄは、カバー２０の凹状のターミナルホルダ収納部２５に着脱自在に取り付けられた後述するターミナルホルダ４０にそれぞれ嵌合されるようになっている。この各ターミナル３５，３６の凸部３５ｃ，３６ｃの切欠き３５ｄ，３６ｄは、カバー２０のコネクタ部２３の底壁２４に形成された端子貫通孔２４ａの挿入方向手前に位置されている。
【００２２】
図２，図６〜図８に示すように、ターミナルホルダ４０は合成樹脂製のターミナルホルダ本体４１を有している。このターミナルホルダ本体４１は、カバー２０のコネクタ部２３の底壁２４の背面側に形成された各ターミナル３５，３６に直交するように凹状のターミナルホルダ収納部２５の上面開口より該凹状のターミナルホルダ収納部２５内に嵌め込まれて複数のターミナル３５，３６にそれぞれ嵌合するようになっている。
【００２３】
図２，図６，図８に示すように、ターミナルホルダ本体４１の両側には、可撓性アーム４２，４２をそれぞれ一体突出形成してある。この各可撓性アーム４２の中途部４２ａには、ターミナルホルダ収納部２５の両側壁２５ａ，２５ａに形成された各鉤部（係合部）２５ｂに着脱自在に係止される係止爪（係止部）４３を一体突出形成してある。また、各可撓性アーム４２の先端部４２ｂには、取り外し治具用の治具装着孔（治具装着部）４４を形成してある。図５に示すように、この各可撓性アーム４２の治具装着孔４４は、カバー２０のコネクタ部２３の底壁２４の両下側に形成された各開口部２４ｂ，２４ｂから露出するようになっている。さらに、ターミナルホルダ本体４１の底面４１ａには、各ターミナル３５，３６の凸部３５ｃ，３６ｃの切欠き３５ｄ，３６ｄに係止される棒状及びＴ字状の突起４５，４６，４７をそれぞれ一体突出形成してある。
【００２４】
尚、図６に示すように、カバー２０のコネクタ部２３の底壁２４の背面側に形成された凹状のターミナルホルダ収納部２５の底壁２５ｃには、各ターミナル３５，３６の凸部３５ｃ，３６ｃに当たる当接部２５ｄをそれぞれ一体突出形成してある。また、複数のターミナル３５，３６のうち両側の各ターミナル３５，３６はモータ駆動用（電源用）であり、内側の３本の各ターミナル３６，３６，３６はセンサ用（回転位置検出用）である。さらに、図１，図４に示すように、ヨーク１１の後側の開口端１１ａには所定間隔毎に加締め片部１１ｈを突出形成してある。この各加締め片部１１ｈをキャップ１２の各凹部１２ｃに加締めることにより、ヨーク１１の後側の開口端１１ａにキャップ１２が固定されるようになっている。
【００２５】
以上実施形態のモータ１０によれば、図７に示すように、複数のターミナル３５，３６の中途部３５ｂ，３６ｂに形成された凸部３５ｃ，３６ｃの切欠き３５ｄ，３６ｄ内に、カバー２０のコネクタ部２３の凹状のターミナルホルダ収納部２５内に収納された合成樹脂製のターミナルホルダ４０の各突起４５，４６，４７を嵌め込んだことにより、カバー２０のコネクタ部２３内への相手コネクタ５０の着脱時に、ブラシホルダ３０の端子取付部としての端子固定孔部３１ｃ及び溶着部３１ｄに負荷が加わることがなく、該端子取付部３１ｃ，３１ｄの破損等を確実に防止することができる。また、各ターミナル３５，３６の略中央である中途部３５ｂ，３６ｂをターミナルホルダ４０により保持するため、長尺の各ターミナル３５，３６の変形やガタ付きを確実に防止することができる。さらに、この各ターミナル３５，３６の凸部３５ｃ，３６ｃの切欠き３５ｄ，３６ｄは、カバー２０のコネクタ部２３の底壁２４に形成された端子貫通孔２４ａの挿入方向手前に位置されていることにより、ターミナル３５，３６の幅を損なうことなく、ターミナル３５，３６のターミナルホルダ４０の突起４５，４６，４７と嵌合する切欠き３５ｄ，３６ｄを大きく形成することができるので、カバー２０のコネクタ部２３内への相手コネクタ５０の着脱時の応力を確実にターミナルホルダ４０で受けることが出来る。
【００２６】
尚、前記実施形態によれば、ブラシホルダにターミナル取付部としての端子固定孔部を１箇所設けると共に、溶着部を４箇所設けたが、全て溶着部としても良い。
【００２７】
また、前記実施形態では、ケースとしてのカバーにブラシホルダを収納したのみであるが、該カバー内に減速機構をモータに適用しても良い。
【図面の簡単な説明】
【００２８】
【図１】本発明の一実施形態のモータを示す斜視図である。
【図２】上記モータの分解斜視図である。
【図３】上記モータのカバーを取り付ける前の状態をカバー側から見た斜視図である。
【図４】上記モータのカバーを取り付ける前の状態をキャップ側から見た斜視図である。
【図５】上記モータの正面図である。
【図６】上記モータのターミナルホルダ収納部の縦断面図である。
【図７】上記モータのコネクタ部の横断面図である。
【図８】上記モータに用いられるターミナルホルダの斜視図である。
【図９】従来のモータのコネクタ部を有したステータ部分の斜視図である。
【図１０】上記従来のコネクタ部の正面図である。
【符号の説明】
【００２９】
１０  モータ
１１  ヨーク
１１ｃ  開口端
１１ｅ  内周面
１３  マグネット
１７  コンミュテータ
２０  カバー（ケース）
２３  コネクタ部
２４  底壁
２４ａ  端子貫通孔
２５  ターミナルホルダ収納部
２５ｂ  鉤部（係合部）
３０  ブラシホルダ
３１ａ  貫通孔
３１ｄ  溶着部（ターミナル取付部）
３２，３２  一対のブラシ収納部
３３  係合凹部（位置決め係合部）
３３ａ  円環状のリブ
３４  ブラシ
３５，３６  ターミナル
３５ａ，３６ａ  基部
３５ｂ，３６ｂ  中途部
３５ｃ，３６ｃ  凸部
３５ｄ，３６ｄ  切欠き
４０  ターミナルホルダ
４３  係止爪（係止部）
４５，４６，４７  突起
５０  相手コネクタ
【図１】
2008167530.tif 000003
【図２】
2008167530.tif 000004
【図３】
2008167530.tif 000005
【図４】
2008167530.tif 000006
【図５】
2008167530.tif 000007
【図６】
2008167530.tif 000008
【図７】
2008167530.tif 000009
【図８】
2008167530.tif 000010
【図９】
2008167530.tif 000011
【図１０】
2008167530.tif 000012
【手続補正書】
【提出日】平成19年1月22日(2007.1.22)
【手続補正１】
【補正対象書類名】図面
【補正対象項目名】全図
【補正方法】変更
【補正の内容】
【図１】
2008167530.tif 000013
【図２】
2008167530.tif 000014
【図３】
2008167530.tif 000015
【図４】
2008167530.tif 000016
【図５】
2008167530.tif 000017
【図６】
2008167530.tif 000018
【図７】
2008167530.tif 000019
【図８】
2008167530.tif 000020
【図９】
2008167530.tif 000021
【図１０】
2008167530.tif 000022